(57)【要約】  平面視斜めに形成される複数の配線抑え部（１１０，１１０・・・）が配線方向に並べて配置される、配線保持部材（１００）が提供される。好ましくは、複数の配線抑え部（１１０，１１０・・・）の各々は、配線（２００）を抑える方向に立設される壁形状を有する。好ましくは、複数の配線抑え部（１１０，１１０・・・）の各々は、配線（２００）を抑えた状態における配線側（１１２）が逆側（１１１）よりも太く形成される。
2019087420.tif 000002
【特許請求の範囲】
【請求項１】
配線保持部材であって、
平面視斜めに形成される複数の配線抑え部が配線方向に並べて配置される、配線保持部材。
【請求項２】
前記複数の配線抑え部の各々は、配線を抑える方向に立設される壁形状を有する、請求項１に記載の配線保持部材。
【請求項３】
前記複数の配線抑え部の各々は、配線を抑えた状態における配線側が逆側よりも太く形成される、請求項１または２に記載の配線保持部材。
【請求項４】
前記複数の配線抑え部の各々の、配線を抑えた状態における配線側の端部が、丸みを帯びるように形成される、請求項１から３のいずれか１項に記載の配線保持部材。
【請求項５】
前記複数の配線抑え部の各々は、一端が前記配線保持部材の枠体に支持され、他端を自由端とし、
前記自由端は下方に凸形状を有する、請求項１から４のいずれか１項に記載の配線保持部材。
【請求項６】
前記凸形状は半球状である、請求項５に記載の配線保持部材。
【請求項７】
前記複数の配線抑え部の各々の、配線を抑えた状態における配線側に凹部が形成される、請求項１から６のいずれか１項に記載の配線保持部材。
【発明の詳細な説明】
【技術分野】
【０００１】
本発明は、配線を所定の位置に保持するための配線保持部材の技術に関する。
【背景技術】
【０００２】
従来から、家電内に配線を保持するための技術が知られている。たとえば、特開２００７−２１２０１３号公報（特許文献１）には、室内機ユニット内のフラップ駆動用モータ配線構造が開示されている。特許文献１によると、空調空気を吹き出して室内の空気調和を行う室内機ユニット内で、空調空気の吹出方向を上下に変動させるフラップの駆動用モータと制御部との間を電気的に接続する室内機ユニット内のフラップ駆動用モータ配線構造において、駆動用モータを室内機ユニット本体に固定支持するブラケットが、可動部を配線経路から遮蔽するカバー部を備えている。【０００３】
また、特開平９−１８４６３９号公報（特許文献２）には、空気調和機が開示されている。特許文献２によると、室内機ケーシング内に電装品装着部を備える。この電装品装着部は、基台に電装品を装着して成る。基台には配線溝を形成し、その右側壁には可撓部を有する係止片を設ける。係止片の先端側は、可撓部の弾性変形によって溝幅拡開方向に容易に変位し、また係止つめが突設されている。
【先行技術文献】
【特許文献】
【０００４】
【特許文献１】特開２００７−２１２０１３号公報
【特許文献２】特開平９−１８４６３９号公報
【発明の概要】
【発明が解決しようとする課題】
【０００５】
本発明の目的は、使い勝手のよい配線保持部材を提供することにある。
【課題を解決するための手段】
【０００６】
この発明のある態様に従うと、平面視斜めに形成される複数の配線抑え部が配線方向に並べて配置される、配線保持部材が提供される。
【発明の効果】
【０００７】
以上のように、本発明によれば、使い勝手のよい配線保持部材が提供される。
【図面の簡単な説明】
【０００８】
【図１】第１の実施の形態にかかる、空気調和機などの吹き出し口構成部材１を示す平面図である。
【図２】第１の実施の形態にかかる、配線が無い状態の吹き出し口構成部材１を示す前方斜視図である。
【図３】第１の実施の形態にかかる、配線を保持した状態の吹き出し口構成部材１を示す前方斜視図である。
【図４】第１の実施の形態にかかる、配線保持部材１００が利用される吹き出し口構成部材１が取り付けられる空気調和機の室内機２の前方斜視図である。
【図５】第１の実施の形態にかかる、図４と同じ方向から見た配線保持部材１００の前方斜視図である。
【図６】第１の実施の形態にかかる、配線保持部材１００の平面図である。
【図７】第１の実施の形態にかかる、配線保持部材１００の底面図である。
【図８】第１の実施の形態にかかる、配線保持部材１００の配線抑え部１１０の右方における側面断面図である。
【図９】第１の実施の形態にかかる、配線保持部材１００の配線抑え部１１０の部分における、抑え部１１０の長手方向に直行する面における断面図である。
【図１０】第１の実施の形態にかかる、抑え部１１０および孔１０９の近傍を示す拡大前方斜視図である。
【図１１】第２の実施の形態にかかる、配線保持部材１００の配線抑え部１１０の右方における側面断面図である。
【図１２】第２の実施の形態にかかる、配線保持部材１００の配線抑え部１１０の部分における、抑え部１１０の長手方向に直行する面における断面図である。
【図１３】第３の実施の形態にかかる、配線保持部材１００の配線抑え部１１０の右方における側面断面図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
【００１０】
まず、図１〜図３を参照して、本実施の形態においては、空気調和機の吹き出し口の上方に設けられるドレンパン、すなわち吹き出し口構成部材１に利用される配線保持部材１００について説明する。なお当然に、配線保持部材１００は、吹き出し口構成部材１に限らず、各種配線２００の設置位置に利用可能である。
【００１１】
図１は、本実施の形態にかかる空気調和機などの吹き出し口構成部材１を示す平面図である。図２は、本実施の形態にかかる配線２００が無い状態の空気調和機などの吹き出し口構成部材１を示す前方斜視図である。図３は、本実施の形態にかかる配線２００を保持した状態の空気調和機などの吹き出し口構成部材１を示す前方斜視図である。なお、以下では、図４および図５に示すように、配線保持部材１００が利用される吹き出し口構成部材１が取り付けられる空気調和機の室内機２の前方向を配線保持部材１００の前方向とし、空気調和機の室内機２の後方向を配線保持部材１００の後方向とし、空気調和機の室内機２の上方向を配線保持部材１００の上方向とし、空気調和機の室内機２の下方向を配線保持部材１００の下方向とし、空気調和機の室内機２の右方向を配線保持部材１００の右方向とし、空気調和機の室内機２の左方向を配線保持部材１００の左方向という。
【００１２】
本実施の形態にかかる吹き出し口構成部材１は、吹き出し口から吹き出す空気を案内するだけでなく、イオン発生装置が取り付けられたり、配線保持部材１００が取り付けられたり、空気調和機の他の構成部材が取り付けられたりする。そして、本実施の形態にかかる配線保持部材１００は、以下に説明するように、１または複数の配線２００を固定することができる。
【００１３】
図６は、本実施の形態にかかる配線保持部材１００の平面図である。図７は、本実施の形態にかかる配線保持部材１００の底面図である。図８は、本実施の形態にかかる配線保持部材１００の配線抑え部１１０の右方における側面断面図である。図９は、本実施の形態にかかる配線保持部材１００の抑え部１１０の長手方向に直行する面における断面図である。図１０は、本実施の形態にかかる抑え部１１０および孔１０９の近傍を示す拡大前方斜視図である。
【００１４】
まず、配線保持部材１００は、側面断面視において、略Ｕ字状（凹状）に形成されている。より詳細には、配線保持部材１００は、主に、底面１０１と後面１０３と前面１０２とが一体成型されたものである。そして、本実施の形態にかかる配線保持部材１００には、前面１０２の複数箇所から斜め後方（後面側）へ向けて複数の抑え部１１０，１１０・・・が形成される。ここでいう斜めとは、図６に示すような平面視において、前面１０２に対して平行でもなく、垂直でもないという意味である。より詳細には、複数の抑え部１１０，１１０・・・と前面１０２との間の角度は、２０度以上７０度以下であることが好ましく、３０度以上４５度以下であればさらに好ましい。
【００１５】
配線２００は、複数の抑え部１１０，１１０・・・と底面１０１との間に挟まれて保持される。本実施の形態においては、複数の抑え部１１０，１１０・・・が、底面１０１に向けて、すなわち下方へ向けて配線２００を押さえつけるように構成されている。また、本実施の形態においては、複数の抑え部１１０，１１０・・・同士の間に、前後壁１０５，１０５・・・が形成されている。前後壁１０５，１０５・・・は、複数の抑え部１１０，１１０・・・の連結部１１０Ａ，１１０Ａ・・・とは逆側、すなわち後面１０３から立設されている。本実施の形態においては、複数の抑え部１１０，１１０・・・によって配線２００を後方へ押しつけつつ、前後壁１０５，１０５によって配線を前方へ押しつけるため、配線２００を強固に配線保持部材１００で保持することができる。
【００１６】
複数の抑え部１１０，１１０の、前面１０２との連結部１１０Ａ，１１０Ａ・・・は、肉厚に形成されている。これによって、抑え部１１０，１１０・・・と前面１０２との連結部分が破断しにくくなっている。
【００１７】
また、本実施の形態においては、複数の抑え部１１０，１１０・・・の各々に、節１１１Ｘ，１１１Ｘ・・・が形成されており、当該節１１１Ｘ，１１１Ｘ・・・によって抑え部１１０，１１０・・・の強度が向上している。節１１１Ｘは円筒状であり、直径は、抑え部１１０の上部１１１の厚みよりも大きく、抑え部１１０の下部１１２の厚みよりも小さい。
【００１８】
底面１０１の、抑え部１１０，１１０・・・に対向する位置には、孔１０９，１０９・・・が抑え部１１０，１１０・・・に沿うような形状で形成されている。平面視および底面視において、孔１０９，１０９・・・は、抑え部１１０、１１０と同様の形状であり、抑え部１１０、１１０よりもやや大きい形状をしている。本実施の形態においては、平面視および底面視において、抑え部１１０、１１０が孔１０９，１０９・・・に内包されるように構成されている。このように、底面１０１に孔１０９，１０９・・・が開いているため、抑え部１１０，１１０・・・によって抑え込まれた配線２００が孔１０９，１０９・・・に入り込むことが可能になる。これにより、抑え部１１０に対向する位置に孔１０９が無い場合（抑え部１１０の対向する位置が底面１０１である場合）に比して、配線２００を抑え部１１０の下方に入れやすくなる。また、配線保持部材１００の裏面から配線２００が飛び出す程度を低減しつつ、配線２００に過度の力がかかることを防止することができる。
【００１９】
抑え部１１０，１１０・・・の各々は、その下部１１２、すなわち配線２００を押さえつけた状態における配線２００側の部分が、その上部１１１よりも断面視において太くなるように形成されている。これによって、抑え部１１０，１１０・・・の前後方向または左右方向のバネ性（弾性）を維持（低下を抑制）しつつ強度を上げることができる。また、配線２００の取り付けおよび取り外しの作業効率を向上させることができる。また、抑え部１１０と配線２００との接触面積が広くなり、配線２００に傷がつく可能性を低減することができる。
【００２０】
さらに、抑え部１１０，１１０・・・の各々の下面、すなわち配線２００を押さえつけた状態における配線２００側の端部は、丸く形成されている。なお、抑え部１１０，１１０・・・の各々の下面の全体が丸く形成されてもよいし、下面の端部が丸く形成されてもよい。これによって、抑え部１１０によって配線２００に傷がつく可能性を低減することができる。また、孔１０９の側面と底面との交差部（縁部）は丸みを帯びるようにしてもよい。これにより、側面と底面との交差部（縁部）で配線２００に傷がつく可能性を低減することができる。
【００２１】
本実施の形態においては、配線２００を配線保持部材１００に取り付ける際に、図３における左から順に右方向へ向けて配線２００を取り付けていくため、抑え部１１０，１１０は、前面１０２から右斜め後方へ形成される。換言すれば、抑え部１１０，１１０が前面１０２から右斜め後方へ形成されているので、空気調和機の組み立て時に、配線２００を左から右へ向けて、抑え部１１０，１１０・・・の後面に押し付けながら、スムーズに抑え部１１０，１１０・・・と底面１０１との間に配線２００を挟み込んでいくことができる。
【００２２】
なお、抑え部１１０，１１０が前面１０２から左斜め後方へ形成することによって、空気調和機の組み立て時に、配線２００を右から左へ向けて、配線２００を抑え部１１０，１１０・・・の後面に押し付けながら、スムーズに抑え部１１０，１１０・・・と底面１０１との間に配線２００を挟み込んでいくことができる。
【００２３】
このように本実施の形態においては、空気調和機や吹き出し口構成部材１の組み立て時に配線２００を容易に配線抑え部１１０，１１０・・・に挟み込むことができる。
【００２４】
さらに、配線２００の取り外し時においても、配線２００を抑え部１１０，１１０・・・に沿わせながら取付時とは逆方向（図３の場合：右から左）に取り外すことで、容易に配線保持部材１００から取り外すことができる。なお、抑え部１１０，１１０が前面１０２から左斜め後方へ形成される場合には、配線２００を抑え部１１０，１１０・・・に沿わせながら取付時とは逆方向（左から右）に取り外すことで、容易に配線保持部材１００から取り外すことができる。
【００２５】
換言すれば、複数の抑え部１１０，１１０・・・が前面１０２に対して斜めに形成されているため、少ない数の抑え部１１０，１１０・・・で効率的に配線２００を抑えることができ、配線２００の取り付けおよび取り外しの作業効率を向上させることができる。
＜第２の実施の形態＞
【００２６】
第１の実施の形態においては、抑え部１１０，１１０・・・の各々の下面は、丸く形成されていた。本実施の形態においては、さらに、図１１や図１２に示すように、抑え部１１０，１１０・・・の各々の先端部１１２Ｂ、すなわち抑え部１１０，１１０・・・の前面１０２への連結部分とは逆の自由端側には、下方へ向けて凸部１１２Ｃが形成されている。これによって、取り付けた配線２００が配線抑え部１１０，１１０・・・から外れてしまう可能性を低減することができる。
【００２７】
本実施の形態においては、凸部１１２Ｃは、半球状に形成されている。これによって、配線２００に傷がつく可能性を低減することができる。
＜第３の実施の形態＞
【００２８】
第１の実施の形態においては、抑え部１１０，１１０・・・の各々の下面は、テーパが形成されていた。本実施の形態においては、さらに、図１３に占めすように、抑え部１１０，１１０・・・の各々の下面には、すなわち配線２００を取り付けた際に配線２００と対向する位置に上方に向けて凹部１１２Ｄが形成されている。これによって、取り付けた配線２００が凹部１１２Ｄに引っ掛かり易くなり、配線抑え部１１０，１１０・・・から配線２００が外れてしまう可能性を低減することができる。
【００２９】
なお、凹部１１２Ｄの周囲も丸みを帯びた形状としてもよい。これにより、側面と底面との交差部（縁部）で配線２００に傷がつく可能性を低減することができる。
＜第４の実施の形態＞
【００３０】
上記の実施の形態においては、抑え部１１０，１１０が、前面１０２から右斜め後方へ形成されるものであった。あるいは、抑え部１１０，１１０が前面１０２から左斜め後方へ形成されるものであった。
【００３１】
しかしながら、抑え部１１０，１１０が後面１０３から右斜め前方へ形成されてもよい。この場合は、配線２００を左から右へ向けて、抑え部１１０，１１０・・・の前面に押し付けながら、スムーズに抑え部１１０，１１０・・・と底面１０１との間に配線２００を挟み込んでいくことができる。そして、配線２００の取り外し時においても、配線２００を抑え部１１０，１１０・・・に沿わせながら取付時とは逆方向（右から左）に取り外すことで、容易に配線保持部材１００から取り外すことができる。
【００３２】
あるいは、抑え部１１０，１１０が後面１０３から左斜め前方へ形成されてもよい。この場合は、配線２００を右から左へ向けて、抑え部１１０，１１０・・・の前面に押し付けながら、スムーズに抑え部１１０，１１０・・・と底面１０１との間に配線２００を挟み込んでいくことができる。そして、配線２００の取り外し時においても、配線２００を抑え部１１０，１１０・・・に沿わせながら取付時とは逆方向（左から右）に取り外すことで、容易に配線保持部材１００から取り外すことができる。
＜まとめ＞
【００３３】
上記の実施の形態においては、平面視斜めに形成される複数の配線抑え部１１０，１１０・・・が配線方向に並べて配置される、配線保持部材１００が提供される。
【００３４】
好ましくは、複数の配線抑え部１１０，１１０・・・の各々は、配線２００を抑える方向に立設される壁形状を有する。
【００３５】
好ましくは、複数の配線抑え部１１０，１１０・・・の各々は、配線２００を抑えた状態における配線側１１２が逆側１１１よりも太く形成される。
【００３６】
複数の配線抑え部１１０，１１０・・・の各々の、配線２００を抑えた状態における配線側の端部１１２が、丸みを帯びるように形成される。
【００３７】
好ましくは、複数の配線抑え部１１０，１１０・・・の各々は、一端が配線保持部材１００の枠体１０２に支持され、他端が自由端１１２Ｂに形成される。自由端１１２Ｂは下方に凸形状１１２Ｃを有する。
【００３８】
好ましくは、凸形状１１２Ｃは半球状である。
【００３９】
好ましくは、複数の配線抑え部１１０，１１０・・・の各々の、配線２００を抑えた状態における配線２００側に凹部１１２Ｄが形成される。
【００４０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４１】
１        ：吹き出し口構成部材
１００    ：配線保持部材
１０１    ：底面
１０２    ：前面
１０３    ：後面
１０９    ：孔
１１０    ：部
１１１    ：上部
１１１Ｘ  ：節
１１２    ：下部
１１２Ｂ  ：自由端
１１２Ｃ  ：凸部
１１２Ｄ  ：凹部
２００    ：配線
【図１】
2019087420.tif 000003
【図２】
2019087420.tif 000004
【図３】
2019087420.tif 000005
【図４】
2019087420.tif 000006
【図５】
2019087420.tif 000007
【図６】
2019087420.tif 000008
【図７】
2019087420.tif 000009
【図８】
2019087420.tif 000010
【図９】
2019087420.tif 000011
【図１０】
2019087420.tif 000012
【図１１】
2019087420.tif 000013
【図１２】
2019087420.tif 000014
【図１３】
2019087420.tif 000015
【国際調査報告】
2019087420.tif 000016
2019087420.tif 000017
2019087420.tif 000018
2019087420.tif 000019